(57)【要約】【課題】貼り付ける画像が間延びせず、貼り付ける画像の繋ぎ目が目立たない画像編集を行なうこと。【解決手段】編集対象画像に所定の貼付け画像２０を貼り付けることによって画像編集する方法をコンピュータに実行させる画像編集プログラムを記録したコンピュータ読み取り可能な記録媒体であって、貼付け画像２０を、画像のサイズを変更させて貼り付けるサイズ変更画像と画像のサイズを変更させないで貼り付ける非変更画像とに分割する画像分割処理と、非変更画像と画像のサイズの変更処理を行なったサイズ変更画像とを結合した画像のサイズが編集対象画像の編集対象領域４０と同じサイズとなるよう、サイズ変更画像のサイズ変更を行なうサイズ変更処理と、非変更画像と画像のサイズの変更を行なったサイズ変更画像とを結合して編集対象領域４０に貼り付ける貼付け処理と、をコンピュータに実行させる。【選択図】        図１
2006053647.tif 000002
【特許請求の範囲】
【請求項１】
編集対象となる編集対象画像に所定の貼付け画像を貼り付けることによって画像編集する方法をコンピュータに実行させる画像編集プログラムを記録したコンピュータ読み取り可能な記録媒体であって、
前記貼付け画像を前記編集対象画像に貼り付ける際に、前記貼付け画像を、画像のサイズを変更させて貼り付けるサイズ変更画像と画像のサイズを変更させないで貼り付ける非変更画像とに分割する画像分割処理と、
前記非変更画像と画像のサイズの変更処理を行なった前記サイズ変更画像とを結合した際に、結合した画像のサイズが前記編集対象画像の編集対象領域と同じサイズとなるよう、前記サイズ変更画像のサイズ変更処理を行なうサイズ変更処理と、
前記非変更画像と画像のサイズの変更処理を行なった前記サイズ変更画像とを結合して前記編集対象領域に貼り付ける貼付け処理と、
をコンピュータに実行させることを特徴とする画像編集プログラムを記録したコンピュータ読み取り可能な記録媒体。
【請求項２】
前記サイズ変更処理は、複数枚数の前記サイズ変更画像を繰り返して貼り付けることを特徴とする請求項１に記載の画像編集プログラムを記録したコンピュータ読み取り可能な記録媒体。
【請求項３】
前記サイズ変更処理は、前記サイズ変更画像を前記編集対象領域に貼り付けた際に、前記編集対象領域において近景部分に貼り付けられるサイズ変更画像のサイズよりも遠景部分に貼り付けられるサイズ変更画像のサイズを小さくして画像のサイズ変更を行なうことを特徴とする請求項１または２に記載の画像編集プログラムを記録したコンピュータ読み取り可能な記録媒体。
【請求項４】
前記サイズ変更処理は、前記サイズ変更画像を前記編集対象領域に貼り付けた際に、前記編集対象領域において近景部分に貼り付けられるサイズ変更画像の彩度と遠景部分に貼り付けられるサイズ変更画像の彩度が異なるよう前記サイズ変更画像の彩度を変更することを特徴とする請求項１〜３のいずれか１つに記載の画像編集プログラムを記録したコンピュータ読み取り可能な記録媒体。
【請求項５】
編集対象となる編集対象画像に所定の貼付け画像を貼り付けることによって画像編集する画像編集方法をコンピュータに実行させるプログラムにおいて、
前記貼付け画像を前記編集対象画像に貼り付ける際に、前記貼付け画像を、画像のサイズを変更させて貼り付けるサイズ変更画像と画像のサイズを変更させないで貼り付ける非変更画像とに分割する画像分割ステップと、
前記非変更画像と画像のサイズの変更処理を行なった前記サイズ変更画像とを結合した際に、結合した画像のサイズが前記編集対象画像の編集対象領域と同じサイズとなるよう、前記サイズ変更画像のサイズ変更処理を行なうサイズ変更ステップと、
前記非変更画像と画像のサイズの変更処理を行なった前記サイズ変更画像とを結合して前記編集対象領域に貼り付けるステップと、
をコンピュータに実行させるプログラム。
【発明の詳細な説明】
【技術分野】
【０００１】
この発明は、画像の編集を行なう画像編集プログラムを記録したコンピュータ読み取り可能な記録媒体に関するものである。
【背景技術】
【０００２】
画像編集装置によって画像を編集し、所望の画像を生成する技術の開発が進められている。画像編集装置による画像の編集として、例えば予め作成された画像（以下、編集用画像という）の一部に新たな画像（以下、貼付け画像という）を貼付けることによって、所望の画像を生成する方法がある。この編集用画像の一部の領域（貼付け領域）に貼付け画像を貼り付けることによって、編集用画像の貼付け領域の模様等を変更した新たな画像を取得することが可能となる。
【０００３】
編集用画像の貼付け領域に貼付け画像を貼り付ける際に、貼付け画像の画像サイズが編集用画像の貼付け領域の画像サイズと異なる場合、貼付け画像の画像サイズを変更して貼付け領域に貼付ける必要がある。
【０００４】
貼付け領域の画像サイズと異なる貼付け画像を貼付け領域に貼り付けるため、貼付け画像の画像サイズを変更することなくそのままの状態の複数の貼付け画像を貼付け領域に貼り付ける方法がある。また、貼付け領域の画像サイズと異なる貼付け画像を貼付け領域に貼り付けるため、貼付け画像を貼付け領域の画像サイズと同一の画像サイズとなるよう拡大して貼付け領域に貼り付ける方法がある。
【０００５】
図１６および図１７は、従来の画像編集装置によって編集された画像を示す図である。図１６は、貼付け画像９０を貼付け領域（編集領域）９１に対して繰り返し貼り付けた場合の画像を示している。貼付け画像９０は、貼付け領域９１上で、拡大処理等の処理が施されることなくそのままの状態で貼付けられている。
【０００６】
図１７は、貼付け画像を拡大して貼り付けた場合の画像を示している。貼付け画像９０は、貼付け領域９１の画像サイズと等しくなるよう拡大された後、貼付け領域９１に貼り付けられている。このように貼付け画像９０を繰り返し貼り付けることや拡大処理して貼り付けることによって、貼付け画像９０と類似の画像を貼付け領域９１に貼り付けている。
【０００７】
また、特許文献１に記載のサーバ装置は、建材を選択するための案内情報をクライアント装置に提供する案内情報提供手段と、建材を製造、販売又は施工する複数の業者における商品についての単位意匠画像データがファイリングされている建材データベースと、クライアント装置によって選択指定された建材の単位意匠画像データをクライアント装置に供給する建材画像データ供給手段とを備えている。そして、カスタマが所望の屋根材，外壁材等の建材を選択指定することで、指定した屋根材，外壁材を貼り付けた家屋イメージ画像を表示している。
【０００８】
【特許文献１】特開２００２−４１８７９号公報
【発明の開示】
【発明が解決しようとする課題】
【０００９】
しかしながら、図１６に示すように、貼付け画像９０を貼付け領域９１に繰り返して貼り付けた場合、各貼付け画像９０の継ぎ目となる部分が目立ち、不自然な状態で画像が接続されるといった問題がある。また、図１７に示すように、貼付け画像９０を拡大した場合、貼付け画像９０が間延びしてしまうといった問題がある。
【００１０】
また、特許文献１に記載の画像シミュレーション装置では、貼付ける画像と貼り付ける領域が異なる場合に貼り付ける画像を自然な状態で遠近感を損なうことなく貼り付けることができないといった問題があった。
【００１１】
この発明は、上述した従来技術による問題点を解消するためになされたものであり、貼り付ける画像が間延びせず、貼り付ける画像の繋ぎ目が目立たない、遠近感のある画像編集を行なう画像編集プログラムを記録したコンピュータ読み取り可能な記録媒体を提供することを目的とする。
【課題を解決するための手段】
【００１２】
上述した課題を解決し、目的を達成するため、本発明に係る画像編集プログラムを記録したコンピュータ読み取り可能な記録媒体は、編集対象となる編集対象画像に所定の貼付け画像を貼り付けることによって画像編集する方法をコンピュータに実行させる画像編集プログラムを記録したコンピュータ読み取り可能な記録媒体であって、前記貼付け画像を前記編集対象画像に貼り付ける際に、前記貼付け画像を、画像のサイズを変更させて貼り付けるサイズ変更画像と画像のサイズを変更させないで貼り付ける非変更画像とに分割する画像分割処理と、前記非変更画像と画像のサイズの変更処理を行なった前記サイズ変更画像とを結合した際に、結合した画像のサイズが前記編集対象画像の編集対象領域と同じサイズとなるよう、前記サイズ変更画像のサイズ変更処理を行なうサイズ変更処理と、前記非変更画像と画像のサイズの変更処理を行なった前記サイズ変更画像とを結合して前記編集対象領域に貼り付ける貼付け処理と、をコンピュータに実行させることを特徴とする。
【００１３】
また、本発明に係る画像編集プログラムを記録したコンピュータ読み取り可能な記録媒体は、上記の発明において、前記サイズ変更処理は、複数枚数の前記サイズ変更画像を繰り返して貼り付けることを特徴とする。
【００１４】
また、本発明に係る画像編集プログラムを記録したコンピュータ読み取り可能な記録媒体は、上記の発明において、前記サイズ変更処理は、前記サイズ変更画像を前記編集対象領域に貼り付けた際に、前記編集対象領域において近景部分に貼り付けられるサイズ変更画像のサイズよりも遠景部分に貼り付けられるサイズ変更画像のサイズを小さくして画像のサイズ変更を行なうことを特徴とする。
【００１５】
また、本発明に係る画像編集プログラムを記録したコンピュータ読み取り可能な記録媒体は、上記の発明において、前記サイズ変更処理は、前記サイズ変更画像を前記編集対象領域に貼り付けた際に、前記編集対象領域において近景部分に貼り付けられるサイズ変更画像の彩度と遠景部分に貼り付けられるサイズ変更画像の彩度が異なるよう前記サイズ変更画像の彩度を変更することを特徴とする。
【００１６】
また、本発明に係る画像編集プログラムを記録したコンピュータ読み取り可能な記録媒体は、上記の発明において、前記貼付け画像は帯状の領域からなり、前記サイズ変更処理は、前記サイズ変更画像を帯状の長さ方向に対してサイズ変更することを特徴とする。
【発明の効果】
【００１７】
本発明によれば、サイズ変更処理によってサイズ変更画像のサイズ変更を行なうので、画像のサイズを変更させないで貼り付ける非変更画像とサイズ変更画像とを結合した画像のサイズを編集対象画像の編集対象領域と同じサイズに変更することが可能となる。したがって、非変更画像の間延びを防ぐとともに、貼り付ける画像の繋ぎ目が目立つことなく貼り付け画像のサイズ変更を行なう画像編集が可能になるという効果を奏する。
【００１８】
また、本発明によれば、サイズ変更画像を繰り返して貼り付けるので、サイズ変更画像の間延びを防ぐことが可能となる。したがって、貼り付ける画像の繋ぎ目を目立たなくすることが可能になるという効果を奏する。
【００１９】
また、本発明によれば、編集対象領域において近景部分に貼り付けられるサイズ変更画像のサイズよりも遠景部分に貼り付けられるサイズ変更画像のサイズを小さくしているので、近景部分と遠景部分におけるサイズ変更画像のサイズの相違によって編集対象領域に画像の遠近感を出すことが可能となる。したがって、編集対象の画像に対して遠近感のある画像編集を行なうことが可能になるという効果を奏する。
【００２０】
また、本発明によれば、編集対象領域において近景部分に貼り付けられるサイズ変更画像の彩度と遠景部分に貼り付けられるサイズ変更画像の彩度が異なるので、近景部分と遠景部分におけるサイズ変更画像の彩度の相違によって編集対象領域に画像の遠近感を出すことが可能となる。したがって、編集対象の画像に対して遠近感のある画像編集を行なうことが可能になるという効果を奏する。
【００２１】
また、本発明によれば、サイズ変更画像を帯状の長さ方向に対してサイズ変更するので、貼り付け画像の画像サイズを、サイズ変更画像を帯状の長さ方向に対して編集対象領域と同じサイズに変更することが可能となる。したがって、非変更画像の帯状の長さ方向への間延びを防ぐとともに、貼り付ける画像の繋ぎ目が目立つことなく貼り付け画像のサイズ変更を行なう画像編集が可能になるという効果を奏する。
【発明を実施するための最良の形態】
【００２２】
以下に添付図面を参照して、この発明に係る画像編集プログラムを記録したコンピュータ読み取り可能な記録媒体の好適な実施例を詳細に説明する。なお、この実施例によりこの発明が限定されるものではない。
【実施例１】
【００２３】
まず、本実施例１に係る画像編集の概念について説明する。図１は、実施例１に係る画像編集の概念を説明するための説明図である。本実施例１においては、画像（全体画像３０）の一部分（後述する編集領域４０）を他の画像に変更（新たな画像の貼付け）することによって画像の編集を行なう。
【００２４】
図２は、全体画像の一例を示す図である。図２に示すように、全体画像３０は、家屋等の物の画像である。本実施例１においては、この全体画像３０上の編集領域４０に新たな画像を貼付ける。編集領域４０は矩形等の帯状であり、編集領域４０には所定の編集を施した貼付け画像２０を貼り付ける。
【００２５】
画像編集を行なうため、まず貼付け画像２０を例えば左端部の画像（後述する始点用画像２１Ａ）、中央部の画像（後述する中間用画像２１Ｂ）、右端部の画像（後述する終点用画像２１Ｃ）の３つの画像に分割する。そして、これら３つの画像を組合せて貼り付けることによって、編集領域４０に貼り付けるための画像（作業画像４５）を生成する。
【００２６】
例えば、作業画像４５を生成するため、最初に作業画像４５の左端に左端部の画像を貼り付ける。次に、作業画像４５に貼り付けられた左端部の画像の右側に中央部の画像を複数枚貼り付ける。最後に作業画像４５の右端に右端部の画像を貼り付ける。すなわち、中央部の画像のみを繰り返して複数貼り付けることによって作業画像４５を生成する。これにより、編集領域４０と同じサイズの作業画像４５を完成させる。そして、生成された作業画像４５を画像の編集領域４０に合致するよう貼り付けることによって画像の編集（新たな画像の生成）を行なう。
【００２７】
つぎに、実施例１に係る画像の編集を詳細に説明する。図３は、実施例１に係る画像編集装置の構成を示すブロック図である。画像編集装置１０は、入力部１１、表示部１２、記憶部１３、画像編集部１４、制御部１９からなる。
【００２８】
入力部１１は、マウス、キーボード等を備えて構成され、画像編集を行なう際の種々の情報を入力する。入力部１１は、例えば編集領域４０を指定するための情報等を入力する。
【００２９】
表示部１２は、液晶モニタ等を備えて構成され、画像編集に伴う種々の情報を表示（出力）する。表示部１２は、例えば貼付け画像２０、作業画像４５、編集領域４０等を表示する。
【００３０】
記憶部１３は、ＨＤＤ（Hard Disk Drive）、ＣＤ（Compact Disc）、フレキシブルディスク等に種々の画像等を記憶する。記憶部１３は、例えば編集前の全体画像３０や貼付け画像２０、編集後の全体画像３０等を記憶する。
【００３１】
画像編集部１４は、全体画像３０、貼付け画像２０等に基づいて、新たな画像を生成（編集）する。画像編集部１４は、画像編集用のプログラム等に基づいて画像内での実寸法や画像のサイズ（ピクセル数）等を算出し、新たな画像を生成する。
【００３２】
制御部１９は、ＣＰＵ（Central Processing Unit）５１、ＲＯＭ（Read Only Memory）５２、ＲＡＭ（Random Access Memory）５３を含んで構成されている。ＣＰＵ５１は、入力部１１から入力される情報に基づいて、ＲＯＭ５２に格納される画像編集用のプログラムやアプリケーションプログラム等を読み出し、ＲＡＭ５３内のプログラム格納領域に展開して画像編集を行なう。ＣＰＵ５１は、画像編集の際に生じる各種データをＲＡＭ５２内に形成されるデータ格納領域に一時的に記憶して、画像編集装置１０の各処理部を制御する。
【００３３】
つぎに、画像編集の処理手順について説明する。図４−１、図４−２は、実施例１に係る画像編集の処理手順を示すフローチャートである。予め記憶部１３に貼付け画像２０、全体画像３０等を記憶しておく。記憶部１３に記憶されている画像の中から、貼付け画像２０を取り出して表示部１２に表示させる。
【００３４】
ここで、貼付け画像２０について説明する。図５は貼付け画像の一例を示す図である。貼付け画像２０は、帯状（矩形）領域を有する画像であり、この貼付け画像２０に所定の処理を施して新たに生成する画像に貼り付ける。例えば、貼付け画像２０の左端部分や右端部分は、貼付け画像２０の中央部分と模様や色彩が異なっている。
【００３５】
まず、貼付け画像２０を横方向のブロックに分割するための分割位置を指定する。例えば、ユーザ（画像編集装置１０の使用者）が、入力部１１から分割位置を指定するための情報を入力することによって貼付け画像２０の分割位置を指定する。なお、貼付け画像２０を３等分する場合は、ユーザの指定によって分割することなく画像編集部１４が自動的に分割してもよい。また、貼付け画像２０が有する模様や色彩に関する情報等に基づいて、画像編集部１４が貼付け画像２０を自動的に分割してもよい。
【００３６】
図６は、貼付け画像の分割位置を説明するための図である。ここでは、貼付け画像２０を３つの画像に分割する場合について説明する。貼付け画像２０は、貼付け画像２０の縦の辺と平行な線による分割によって始点用画像（非変更画像）２１Ａ、中間用画像（サイズ変更画像）２１Ｂ、終点用画像（非変更画像）２１Ｃに分割されるものとする。
【００３７】
ここでの始点用画像２１Ａは、貼付け画像２０の左端部分を含む画像であり、画像生成の際に最初に貼付け処理が行なわれる。また、中間用画像２１Ｂは、貼付け画像２０の中央付近の部分を含む画像であり、画像生成の際に始点用画像２１Ａの次に貼付け処理が行なわれる。中間用画像２１Ｂは、複数枚繰り返して貼付け処理が行なわれる。さらに、終点用画像２１Ｃは、貼付け画像２０の右端部分を含む画像であり、画像生成の際に最後に貼付け処理が行なわれる。
【００３８】
このように、貼付け画像２０を始点用画像２１Ａ、中間用画像２１Ｂ、終点用画像２１Ｃに分割するため、貼付け画像２０上で中間用画像２１Ｂの開始位置（分割位置）と終点用画像２１Ｃの開始位置（分割位置）を指定する。そして、貼付け画像２０において指定された分割位置に基づいて、貼付け画像２０を始点用画像２１Ａ、中間用画像２１Ｂ、終点用画像２１Ｃに分割する（画像分割処理）（ステップＳ１００）。
【００３９】
図７−１は、始点用画像の一例を示す図であり、図７−２は、中間用画像の一例を示す図であり、図７−３は、終点用画像の一例を示す図である。図７−１に示すように、始点用画像２１Ａは、貼付け画像２０において貼付け画像２０の左端から中間用画像２１Ｂの開始位置までの部分を抽出した画像である。ここでの始点用画像２１Ａの画像サイズをＴｓ（ピクセル）とする。画像サイズは、始点用画像２１Ａの横方向（幅）の寸法をｗ１、縦方向（高さ）の寸法をｈ１として、Ｔｓ（ｗ１，ｈ１）で表すものとする。
【００４０】
図７−２に示すように、中間用画像２１Ｂは、貼付け画像２０において中間用画像２１Ｂの開始位置から終点用画像２１Ｃの開始位置までの部分を抽出した画像である。ここでの中間用画像２１Ｂの画像サイズをＴｍ（ピクセル）とする。画像サイズは、始点用画像２１Ａの横方向（幅）の寸法をｗ２、縦方向（高さ）の寸法をｈ１として、Ｔｍ（ｗ２，ｈ１）で表すものとする。
【００４１】
図７−３に示すように、終点用画像２１Ｃは、貼付け画像２０において終点用画像２１Ｃの開始位置から貼付け画像２０の右端までの部分を抽出した画像である。ここでの終点用画像２１Ｃの画像サイズをＴｅ（ピクセル）とする。画像サイズは、始点用画像２１Ａの横方向（幅）の寸法をｗ３、縦方向（高さ）の寸法をｈ１として、Ｔｅ（ｗ３，ｈ１）で表すものとする。
【００４２】
貼付け画像２０を分割した後、入力部１１から貼付け画像２０の１ピクセルあたりの寸法（実際の寸法）（以下、貼付け画像寸法Ｔｕという）を入力し、画像編集部１４に記憶（設定）する（ステップＳ１１０）。例えば貼付け画像の縦方向または横方向が１００ピクセルの寸法であり、この画像に示される物体等の実際の寸法が１０ｍである場合、貼付け画像寸法Ｔｕは、０．１（ｍ／ピクセル）となる。このとき、貼付け画像寸法Ｔｕを設定するかわりに、貼付け画像２０の実寸値Ｔｒを設定してもよい。貼付け画像２０の実寸値Ｔｒ（ｒｗ，ｒｈ）を設定した場合、画像編集部１４は式（１）に基づいて、貼付け画像寸法Ｔｕを算出する。ここでのｒｗは貼付け画像２０の横方向の実寸法を示し、ｒｈは貼付け画像２０の縦方向の実寸法を示す。
Ｔｕ＝ｒｗ／（ｗ１＋ｗ２＋ｗ３）＝ｒｈ／ｈ１・・・（１）
【００４３】
つぎに、記憶部１３に記憶されている画像の中から、全体画像３０を取り出して表示部１２に表示させる。ユーザが、入力部１１を介して、全体画像３０上で画像の編集対象となる領域（編集領域４０）の始点座標Ｓｃ（ｘ１，ｙ１）と終点座標Ｅｃ（ｘ２，ｙ２）を指定する（ステップＳ１２０）。
【００４４】
図８は、始点座標と終点座標の指定を説明するための図である。全体画像３０において、画像の編集を行なう編集領域４０の横方向の両端となる辺の中心位置が始点座標Ｓｃ（ｘ１，ｙ１）、終点座標Ｅｃ（ｘ２，ｙ２）として指定される。始点座標Ｓｃと終点座標Ｅｃの指定は、全体画像３０の画像上において指定してもよいし、座標となる数値を入力することによって指定してもよい。始点座標Ｓｃ、終点座標Ｅｃは、例えば全体画像３０の最左下を座標（０，０）とした場合に、全体画像３０上においてピクセル数で表される座標である。
【００４５】
ユーザが、始点座標Ｓｃと終点座標Ｅｃ間の実際の寸法（実寸）Ｌｒを入力部１１から入力する（ステップＳ１３０）。例えば、始点座標Ｓｃに対応する位置から終点座標Ｅｃに対応する位置までの距離が１０ｍである場合、始点座標Ｓｃと終点座標Ｅｃ間の実寸Ｌｒとして１０ｍを入力する。
【００４６】
画像編集部１４は、始点座標Ｓｃから終点座標Ｅｃまでの、ピクセル数によって表される２点間の距離（以下、ピクセル距離Ｌｐという）を算出する（ステップＳ１４０）。ピクセル距離Ｌｐの算出は、式（２）によって算出する。
Ｌｐ＝｛（ｘ１−ｘ２）2＋（ｙ１−ｙ２）2｝1/2・・・（２）
【００４７】
画像編集部１４は、実寸Ｌｒとピクセル距離Ｌｐに基づいて、始点座標Ｓｃと終点座標Ｅｃの間の１ピクセルあたりの実寸値（以下、編集領域寸法Ｌｕという）を算出する（ステップＳ１５０）。編集領域寸法Ｌｕは、式（３）によって算出する。
Ｌｕ＝Ｌｒ／Ｌｐ・・・（３）
【００４８】
全体画像３０内において、編集領域４０が画像の撮影（描画）方向（視点）等から見て手前から奥行き方向に伸びている場合、編集領域４０に貼り付ける画像（作業画像４５）に遠近感を施すための遠近感係数ｋを指定する。遠近感係数ｋの指定は、ユーザが入力部１１を介して遠近感係数ｋを入力することによって行なう（ステップＳ１６０）。
【００４９】
遠近感係数ｋは、編集領域４０において始点座標Ｓｃが終点座標Ｅｃよりも画像の撮影方向から見て手前（近景）である場合、始点座標Ｓｃから終点座標Ｅｃに向かって編集領域４０の縦方向（高さ）の寸法（図２に示す編集領域４０の短い方の辺）を小さくするための係数である。遠近感係数ｋが大きいほど始点座標Ｓｃから終点座標Ｅｃに向かって編集領域４０の縦方向の寸法が小さくなる。遠近感を出さない場合は、遠近感係数ｋは０となる。
【００５０】
つぎに、画像編集部１４は編集領域４０の縦方向（高さ）の寸法（以下、縦辺長Ｂｈという）（ピクセル数）と編集領域４０の横方向（幅）の寸法（以下、横辺長Ｂｗという）（ピクセル数）を算出する。縦辺長Ｂｈは、式（４）によって算出する（ステップＳ２００）。
Ｂｈ＝ｈ１×（Ｔｕ／Ｌｕ）・・・（４）
【００５１】
横辺長Ｂｗは、ピクセル距離Ｌｐを用いる。すなわち、Ｂｗ＝Ｌｐとなる。画像編集部１４は、貼付け画像２０を拡大や縮小することなく並べるための作業画像４５の画像サイズ（幅、高さ）（ピクセル）を算出する（ステップＳ２１０）。ここでは、作業画像４５の縦方向（高さ）の寸法（作業画像サイズＷｈ）を式（５）によって算出し、作業画像４５の横方向（幅）の寸法（作業画像サイズＷｗ）を式（６）によって算出する。
Ｗｈ＝Ｂｈ×（Ｌｕ／Ｔｕ）＝ｈ１・・・（５）
Ｗｗ＝Ｂｗ×（Ｌｕ／Ｔｕ）・・・（６）
【００５２】
作業画像４５の画像サイズ（高さ）は貼付け画像２０の画像サイズｈ１である。作業画像４５の画像サイズ（幅）は編集領域４０のピクセル距離Ｌｐ（横辺長Ｂｗ）に基づいて算出している。ここでは、貼付け画像２０の貼付け画像寸法Ｔｕ（１ピクセルあたりの寸法）が作業画像サイズＷｗの１ピクセルあたりの寸法と異なる場合を示している。
【００５３】
所定の始点用画像２１Ａ、中間用画像２１Ｂ、終点用画像２１Ｃを、作業画像４５の画像サイズ分だけ貼付けていくことによって作業画像４５を生成する（ステップＳ２２０）。
【００５４】
ここで、作業画像４５の生成手順について説明する。図９は、作業画像の生成手順を示すフローチャートである。画像編集部１４は、貼付け画像２０から作業画像４５に貼り付ける始点用画像２１Ａを生成する。画像編集部１４は、最初に作業画像４５の左端に始点用画像２１Ａを貼り付ける（ステップＳ３００）。図１０−１は、始点用画像を貼付けた時の作業画像を示す図である。図１０−１に示すように作業画像４５の左端の辺と始点用画像２１Ａの左端の辺が接するよう、作業画像４５に始点用画像２１Ａが貼付けられている。
【００５５】
つぎに、画像編集部１４は中間用画像２１Ｂの貼付け位置を初期化する（ステップＳ３１０）。画像編集部１４は、作業画像４５において中間用画像２１Ｂを貼り付けるスペース（貼付けスペース）があるか否かを確認する（ステップＳ３２０）。
【００５６】
画像編集部１４が、作業画像４５において中間用画像２１Ｂを貼り付ける貼付けスペースがあると判断すると（ステップＳ３２０、Ｙｅｓ）、画像編集部１４は中間用画像２１Ｂの画像サイズＴｍを算出する（ステップＳ３３０）。
【００５７】
複数の中間用画像２１Ｂは貼り付けることによって作業画像に遠近感を出すため、中間用画像２１Ｂの貼付け位置に応じた中間用画像２１Ｂの画像サイズＴｍを算出する。中間用画像２１Ｂを貼付ける位置に応じて中間用画像２１Ｂの画像サイズＴｍを変更する。また、中間用画像２１Ｂの画像サイズＴｍの変更に伴い、始点用画像２１Ａの右側の縦辺の画像サイズｗ１も変更する。例えば、始点用画像２１Ａが終点画像２１Ｃよりも編集領域４０上で近景である場合、中間用画像２１Ｂを作業画像４５に貼り付けた際に、編集対域４０において近景部分（始点用画像２１Ａに近い部分）に貼り付けられる中間用画像２１Ｂの画像サイズよりも遠景部分（終点用画像２１Ｃに近い部分）に貼り付けられる中間用画像２１Ｂの画像サイズを小さくする。
【００５８】
ｘ（ｘは自然数）番目に貼り付ける中間用画像２１Ｂの左側の縦辺のサイズをｗ２（ｘ）とし横方向の画像サイズをｈ１（ｘ）とすると、（ｘ＋１）番目に貼り付ける中間用画像２１Ｂの左側の縦辺の画像サイズｗ２（ｘ＋１）、横方向の画像サイズｈ１（ｘ＋１）は式（７）、式（８）によって算出される。
ｗ２（ｘ＋１）＝ｗ２（ｘ）−ｋ・Ｐ（ｘ）・・・（７）
ｈ１（ｘ＋１）＝ｈ１（ｘ）・｛ｗ２（ｘ＋１）／ｗ２（ｘ）｝・・・（８）
【００５９】
ここでのＰ（ｘ）は、ｘ番目に貼り付ける中間用画像２１Ｂの作業画像４５上での横方向の貼付け位置（ピクセル）を示している。ｘ番目に貼り付ける中間用画像２１Ｂの横方向の貼付け位置Ｐ（ｘ）は、既に貼り付けた始点用画像２１Ａの横方向の画像サイズｗ１、既に貼り付けた（ｘ−１）番目までの中間用画像２１Ｂの横方向の画像サイズｗ２の合計サイズに基づいて算出される。すなわち、画像編集部１４は、式（９）に基づいてｘ番目に貼り付ける中間用画像２１Ｂの横方向の貼付け位置Ｐ（ｘ）を算出する。
Ｐ（ｘ）＝Ｐ（ｘ−１）＋ｗ２（ｘ）・・・（９）
【００６０】
例えば、既にｘ枚の中間用画像２１Ｂを貼り付けている場合、（ｘ−１）枚目の中間用画像２１Ｂの貼付け位置Ｐ（ｘ）は、作業画像４５の左端から横方向にｗ１＋｛ｘ×ｗ２（ｘ）｝の距離だけ離れた位置となる。画像編集部１４は、始点用画像２１Ａと中間用画像２１Ｂの縦方向の貼付け位置Ｐ（ｙ）を式（１０）に基づいて算出する。
Ｐ（ｙ）＝｛ｈ１（ｘ）−ｈ１（ｘ＋１）｝／２・・・（１０）
【００６１】
画像編集部１４は、算出した中間用画像２１Ｂの画像サイズＴｍに基づいて、貼付け画像２０から作業画像４５に貼り付ける中間用画像２１Ｂを生成する（ステップＳ３４０）。ここでは、中間用画像２１Ｂが始点用画像２１Ａから遠い（貼り付ける順番が遅い）ほど、中間用画像２１Ｂの左側の縦辺のサイズｗ２（ｘ）が小さくなるので、各中間用画像２１Ｂは台形となる。
【００６２】
画像編集部１４は、中間用画像２１Ｂを貼り付ける位置に応じて、中間用画像２１Ｂの彩度を変更する（ステップＳ３５０）。例えば、全体画像３０内での光源方向に応じて、中間用画像２１Ｂが全体画像３０の始点用画像２１Ａから遠ざかる奥行き方向（近景から遠景）に従って、中間用画像２１Ｂの彩度を低く又は高くする。すなわち、始点用画像２１Ａから遠い中間用画像２１Ｂほど彩度を低く又は高くする。これにより、始点用画像２１Ａから遠い中間用画像２１Ｂほど画像が白色又は黒色を多く含む（明るい又は暗い）画像となる。画像編集部１４は、中間用画像２１Ｂを貼り付ける位置に応じて中間用画像２１Ｂの彩度を変更することによって、作業画像４５上での遠近感を出す。画像編集部１４は、彩度の変更処理をした中間用画像２１Ｂを作業画像４５に貼り付ける（サイズ変更処理）（ステップＳ３６０）。
【００６３】
図１０−２は、中間用画像を繰り返し貼り付けたときの作業画像を示す図である。図１０−２に示すように、最初に作業画像４５の始点用画像２１Ａの右端と中間用画像２１Ｂの左端が接するよう中間用画像２１Ｂが作業画像４５に貼り付けられる。さらに、各中間用画像２１Ｂの縦方向の辺が接するよう中間用画像２１Ｂが作業画像４５に貼り付けられる。すなわち、作業画像４５上でまだ画像が貼り付けられていない領域（空白領域）の左端と中間用画像２１Ｂの左端が接するよう、中間用画像２１Ｂを作業画像４５に貼り付ける。すなわち、中間用画像２１Ｂは作業画像４５において、左端から順番に貼りつけられていく。例えば、始点用画像２１Ａの次に貼り付ける中間用画像２１Ｂは、始点用画像２１Ａの右端と中間用画像２１Ｂの左端が接するように貼り付けられる。
【００６４】
なお、始点用画像２１Ａ、中間用画像２１Ｂを台形にすることなく、それぞれを矩形によって示してもよい。図１０−３は、矩形の中間用画像を繰り返し貼り付けたときの作業画像を示す図である。図１０−３に示すように始点用画像２１Ａ、中間用画像２１Ｂは矩形をしており、各始点用画像２１Ａ、中間用画像２１Ｂの横方向の辺と平行な中心線が一致するよう、直線上に配置される。
【００６５】
画像編集部１４は、次に貼り付ける中間用画像２１Ｂの貼付け位置を算出する（ステップＳ３７０）。画像編集部１４が、作業画像４５において中間用画像２１Ｂを貼り付ける貼付けスペースがないと判断されるまで、ステップＳ３２０〜Ｓ３７０の処理が繰り返される。
【００６６】
画像編集部１４は、作業画像４５において中間用画像２１Ｂを貼り付ける貼付けスペースがないと判断すると（ステップＳ３２０、Ｎｏ）、終点用画像２１Ｃの画像サイズＴｅを算出する（ステップＳ３８０）。画像編集部１４は、作業画像４５上でまだ画像が貼り付けられていない領域の横方向のサイズが、次に貼り付ける中間用画像２１Ｂの横方向のサイズｗ２（ｘ）より小さい場合に、作業画像４５において中間用画像２１Ｂを貼り付ける貼付けスペースがないと判断する。
【００６７】
画像編集部１４は、貼付け画像２０から作業画像４５に貼り付ける終点用画像２１Ｃを生成する（ステップＳ３９０）。このとき、画像編集部１４は、中間用画像２１Ｂのサイズ変更等に応じて、終点用画像２１Ｃのサイズを変更する。終点用画像２１Ｃのサイズの変更は、式（７）、式（８）によって算出される。
【００６８】
画像編集部１４は、中間用画像２１Ｂの彩度変更等に応じて、終点用画像２１Ｃの彩度を変更する（ステップＳ４００）。画像編集部１４は、彩度の変更処理をした終点用画像２１Ｃを作業画像４５に貼り付ける（ステップＳ４１０）。
【００６９】
図１０−４は、終点用画像を貼り付けたときの作業画像を示す図である。図１０−４に示すように作業画像４５の右端と終点用画像２１Ｃの右端が接するよう、作業画像４５に終点用画像２１Ｃが貼付けられている。
【００７０】
作業画像４５上でまだ画像が貼り付けられていない領域の横方向のサイズが、終点用画像２１Ｃの横方向の画像サイズｗ３よりも小さい場合、作業画像４５で最後に貼り付けられた中間用画像２１Ｂの一部（右端を含む部分）は、終点用画像２１Ｃによって上書きされる。
【００７１】
画像編集部１４は、作業画像４５の生成を完了すると編集領域４０の縦辺長Ｂｈ、横辺長Ｂｗに合わせて作業画像４５の拡大、縮小処理を行なう（ステップＳ２３０）。
画像編集部１４は、全体画像３０の面内で作業画像４５を回転させ、作業画像４５を始点座標Ｓｃ、終点座標Ｅｃに重ね合わせる（貼り付け処理）（ステップＳ２４０〜Ｓ２６０）。
【００７２】
図１１は、全体画像の編集結果を示す図である。画像編集部１４で生成された作業画像４５は、編集領域４０に対応するよう貼り付けられている。画像編集部１４で生成された全体画像３０は、記憶部１３によって記憶される。
【００７３】
なお、本実施例１においては、貼付け画像２０を縦辺と平行方向によって分割し作業画像４５の横方向に対して中間用画像２１Ｂを繰り返して貼り付けることとしたが、貼付け画像２０を横辺と平行方向によって分割し作業画像４５の縦方向に対して中間用画像２１Ｂを繰り返して貼り付けてもよい。
【００７４】
また、本実施例１においては、貼付け画像２０を３つの画像に分割することとしたが、貼付け画像２０を２つの画像に分割してもよい。貼付け画像２０を２つの画像に分割する場合、貼付け画像２０を始点用画像２１Ａと中間用画像２１Ｂに分割するか又は貼付け画像２０を終点用画像２１Ｃと中間用画像２１Ｂに分割する。そして、中間用画像２１Ｂのみ作業画像４５に繰り返して貼り付ける。
【００７５】
また、本実施例１においては、編集領域４０や貼付け画像２０が矩形等の帯状である場合について説明したが、編集領域４０や貼付け画像２０の角が丸みを帯びた形状等を有した帯状であってもよい。
【００７６】
このように、貼付け画像２０の中間用画像２１Ｂを繰り返して作業画像４５に貼り付けるので、貼付け画像２０の画像サイズに対する編集領域４０の画像サイズに関わらず、中間画像２１Ｂの繋ぎ目を目立たなくすることが可能となる。また、始点画像２１Ａ、終点画像２１Ｃの画像サイズを変更することなく始点画像２１Ａ、終点画像２１Ｃを作業画像４５に貼り付けるので、始点画像２１Ａ、終点画像２１Ｃに間延びを起こさせることがない。したがって、貼付け画像２０の模様等を損なうことなく貼付け画像２０の貼付けを行なうことが可能となる。
【００７７】
このように実施例１によれば、全体画像３０の編集領域４０に対して貼付け画像２０を貼り付けた場合に、貼付け画像２０の間延びを防ぐことができるとともに、始点画像２１Ａ、中間画像２１Ｂ、終点画像２１Ｃの各画像の繋ぎ目等を目立たなくすることができる。また、貼付け画像２０を作業画像４５に貼り付ける際に、遠近感係数ｋを用いて貼付け画像２０の画像サイズを調整しているので、編集領域４０が全体画像３０の手前から奥方向に伸びている場合に編集領域４０において遠近感のある画像編集を行なうことが可能となる。
【実施例２】
【００７８】
図４−２、図９、図１２に従って実施例２に係る画像の編集を説明する。実施例２においては、画像編集装置１０に貼付け画像寸法Ｔｕ（１ピクセルあたりの寸法）の設定を行なわず、編集領域４０の縦辺のサイズ等設定する。そして、設定した編集領域４０の縦辺のサイズに基づいて貼付け画像寸法Ｔｕを算出し、全体画像３０の生成を行なう。
【００７９】
画像編集の処理手順について説明する。図１２は、実施例２に係る画像編集の処理手順を示すフローチャートである。記憶部１３に貼付け画像２０、全体画像３０等を記憶しておく。記憶部１３に記憶されている画像の中から、貼付け画像２０を取り出して表示部１２に表示させる。
【００８０】
まず、貼付け画像２０を分割するための分割位置を指定する。そして、貼付け画像２０において指定された分割位置に基づいて、貼付け画像２０を始点用画像２１Ａ、中間用画像２１Ｂ、終点用画像２１Ｃに分割する（ステップＳ５００）。
【００８１】
ここでの始点用画像２１Ａ、中間用画像２１Ｂ、終点用画像２１Ｃの各画像のサイズは実施例１と同様に、始点用画像２１ＡをＴｓ（ｗ１，ｈ１）、中間用画像２１ＢをＴｍ（ｗ２，ｈ１）、終点用画像２１ＣをＴｅ（ｗ３，ｈ１）で表すものとする。
【００８２】
つぎに、記憶部１３に記憶されている画像の中から、全体画像３０を取り出して表示部１２に表示させる。ユーザが、入力部１１を介して、編集領域４０の始点座標Ｓｃ（ｘ１，ｙ１）と終点座標Ｅｃ（ｘ２，ｙ２）を指定する（ステップＳ５１０）。
【００８３】
ユーザが、入力部１１を介して、編集領域４０の始点座標Ｓｃに対する高さ（幅）（編集領域４０の右側の縦辺の寸法）（以下、始点幅Ｓｗという）と終点座標Ｅｃに対する高さ（幅）（編集領域４０の左側の縦辺の寸法）（以下、終点幅Ｅｗという）を指定する（ステップＳ５２０）。
【００８４】
図１３は、始点幅と終点幅を説明するための図である。図１３に示すように、全体画像３０において、編集領域４０と特定するための始点幅Ｓｗと終点幅Ｅｗが指定されている。始点幅Ｓｗ（ピクセル）と終点幅Ｅｗ（ピクセル）は、ユーザによって入力部１１から入力される。
【００８５】
画像編集部１４は、ピクセル距離Ｌｐを算出する（ステップＳ５３０）。ピクセル距離Ｌｐの算出は、実施例１の説明で示した式（２）によって算出する。全体画像３０内において、遠近感係数ｋを指定する（ステップＳ５４０）。ここでの遠近感係数ｋは、式（１１）によって算出する。
ｋ＝（Ｓｗ−Ｅｗ）／Ｌｐ・・・（１１）
【００８６】
この後、図４−２および図９に示した実施例１と同様の処理手順によって画像の編集処理を行なう。すなわち、画像編集部１４は編集領域４０の縦辺長Ｂｈと横辺長Ｂｗを算出する（ステップＳ２００）。ここでの縦辺長ＢｈはＳｗであり、横辺長ＢｗはＬｐである。画像編集部１４は、作業画像サイズＷｈを実施例１で示した式（５）によって算出し、作業画像サイズＷｗを式（１２）によって算出する。
Ｗｗ＝Ｂｗ×（ｈ１／Ｓｗ）・・・（１２）
【００８７】
所定の始点用画像２１Ａ、中間用画像２１Ｂ、終点用画像２１Ｃを、作業画像４５の画像サイズ分だけ貼付けていくことによって作業画像４５を生成する（ステップＳ２２０）。画像編集部１４は、図９に示した実施例１と同様の処理手順によって画像の作業画像の生成を行なうため、その説明は省略する。
【００８８】
画像編集部１４は、作業画像４５の生成を完了すると編集領域４０の縦辺長Ｂｈ、横辺長Ｂｗに合わせて作業画像４５の拡大、縮小処理を行なう（ステップＳ２３０）。
画像編集部１４は、全体画像３０の面内で作業画像４５を回転させ、作業画像４５を始点座標Ｓｃ、終点座標Ｅｃに重ね合わせる（ステップＳ２４０〜Ｓ２６０）。画像編集部１４で生成された全体画像３０は、記憶部１３によって記憶される。
【００８９】
このように実施例２によれば、全体画像３０の編集領域４０に対して貼付け画像２０を貼り付けた場合に、画像編集装置１０に貼付け画像寸法Ｔｕの設定を行なうことなく、簡易な構成で画像の編集を行なうことが可能となる。したがって、簡易な構成の画像編集装置１０によって、貼付け画像２０の間延びを防ぐことができるとともに、画像の繋ぎ目等を目立たなくすることができる。
【実施例３】
【００９０】
ところで、上記の実施例で説明した各種の画像編集の処理は、あらかじめ用意されたプログラムをパーソナルコンピュータやワークステーションなどのコンピュータシステムで実行することによって実現することができる。そこで、以下では、上記の実施例と同様の機能を有するプログラムを実行するコンピュータシステムを他の実施例として説明する。
【００９１】
図１４は、他の実施例に係るコンピュータシステムの構成を示すシステム構成図であり、図１５は、このコンピュータシステムにおける本体部の構成を示すブロック図である。図１４に示すように、このコンピュータシステム１００は、本体部１０１と、本体部１０１からの指示によって表示画面１０２ａに画像などの情報を表示するためのディスプレイ１０２と、このコンピュータシステム１００に種々の情報を入力するためのキーボード１０３と、ディスプレイ１０２の表示画面１０２ａ上の任意の位置を指定するためのマウス１０４とを備える。
【００９２】
また、このコンピュータシステム１００における本体部１０１は、図１５に示すように、ＣＰＵ１２１と、ＲＡＭ１２２と、ＲＯＭ１２３と、ハードディスクドライブ（ＨＤＤ）１２４と、ＣＤ−ＲＯＭ１０９を受け入れるＣＤ−ＲＯＭドライブ１２５と、フレキシブルディスク（ＦＤ）１０８を受け入れるＦＤドライブ１２６と、ディスプレイ１０２、キーボード１０３並びにマウス１０４を接続するＩ／Ｏインターフェース１２７と、ローカルエリアネットワークまたは広域エリアネットワーク（ＬＡＮ／ＷＡＮ）１０６に接続するＬＡＮインターフェース１２８とを備える。
【００９３】
さらに、このコンピュータシステム１００には、インターネットなどの公衆回線１０７に接続するためのモデム１０５が接続されるとともに、ＬＡＮインターフェース１２８およびＬＡＮ／ＷＡＮ１０６を介して、他のコンピュータシステム（ＰＣ）１１１、サーバ１１２並びにプリンタ１１３などが接続される。
【００９４】
そして、このコンピュータシステム１００は、所定の記録媒体に記録されたプログラムを読み出して実行することで上記した実施例と同様の機能を実現する。ここで、所定の記録媒体とは、フレキシブルディスク（ＦＤ）１０８、ＣＤ−ＲＯＭ１０９、ＭＯディスク、ＤＶＤディスク、光磁気ディスク、ＩＣカードなどの「可搬用の物理媒体」の他に、コンピュータシステム１００の内外に備えられるハードディスクドライブ（ＨＤＤ）１２４や、ＲＡＭ１２２、ＲＯＭ１２３などの「固定用の物理媒体」、さらに、モデム１０５を介して接続される公衆回線１０７や、他のコンピュータシステム１１１並びにサーバ１１２が接続されるＬＡＮ／ＷＡＮ１０６などのように、プログラムの送信に際して短期にプログラムを保持する「通信媒体」など、コンピュータシステム１００によって読み取り可能なプログラムを記録する、あらゆる記録媒体を含むものである。
【００９５】
すなわち、この他の実施例でいうプログラムは、上記した「可搬用の物理媒体」、「固定用の物理媒体」、「通信媒体」などの記録媒体に、コンピュータ読み取り可能に記録されるものであり、コンピュータシステム１００は、このような記録媒体からプログラムを読み出して実行することで上記した実施例と同様の機能を実現する。なお、この他の実施例でいうプログラムは、コンピュータシステム１００によって実行されることに限定されるものではなく、他のコンピュータシステム１１１またはサーバ１１２がプログラムを実行する場合や、これらが協働してプログラムを実行するような場合にも、本発明を同様に適用することができる。
【００９６】
（付記１）編集対象となる編集対象画像に所定の貼付け画像を貼り付けることによって画像編集する方法をコンピュータに実行させる画像編集プログラムを記録したコンピュータ読み取り可能な記録媒体であって、
前記貼付け画像を前記編集対象画像に貼り付ける際に、前記貼付け画像を、画像のサイズを変更させて貼り付けるサイズ変更画像と画像のサイズを変更させないで貼り付ける非変更画像とに分割する画像分割処理と、
前記非変更画像と画像のサイズの変更処理を行なった前記サイズ変更画像とを結合した際に、結合した画像のサイズが前記編集対象画像の編集対象領域と同じサイズとなるよう、前記サイズ変更画像のサイズ変更処理を行なうサイズ変更処理と、
前記非変更画像と画像のサイズの変更処理を行なった前記サイズ変更画像とを結合して前記編集対象領域に貼り付ける貼付け処理と、
をコンピュータに実行させることを特徴とする画像編集プログラムを記録したコンピュータ読み取り可能な記録媒体。
【００９７】
（付記２）前記サイズ変更処理は、複数枚数の前記サイズ変更画像を繰り返して貼り付けることを特徴とする付記１に記載の画像編集プログラムを記録したコンピュータ読み取り可能な記録媒体。
【００９８】
（付記３）前記サイズ変更処理は、前記サイズ変更画像を前記編集対象領域に貼り付けた際に、前記編集対象領域において近景部分に貼り付けられるサイズ変更画像のサイズよりも遠景部分に貼り付けられるサイズ変更画像のサイズを小さくして画像のサイズ変更を行なうことを特徴とする付記１または２に記載の画像編集プログラムを記録したコンピュータ読み取り可能な記録媒体。
【００９９】
（付記４）前記サイズ変更処理は、前記サイズ変更画像を前記編集対象領域に貼り付けた際に、前記編集対象領域において近景部分に貼り付けられるサイズ変更画像の彩度と遠景部分に貼り付けられるサイズ変更画像の彩度が異なるよう前記サイズ変更画像の彩度を変更することを特徴とする付記１〜３のいずれか１つに記載のコンピュータ読み取り可能な記録媒体。
【０１００】
（付記５）前記貼付け画像は帯状の領域からなり、
前記サイズ変更処理は、前記サイズ変更画像を帯状の長さ方向に対してサイズ変更することを特徴とする付記１〜４のいずれか１つに記載の画像編集プログラムを記録したコンピュータ読み取り可能な記録媒体。
【０１０１】
（付記６）編集対象となる編集対象画像に所定の貼付け画像を貼り付けることによって画像編集を行なう画像編集装置において、
前記貼付け画像を前記編集対象画像に貼り付ける際に、前記貼付け画像を、画像のサイズを変更させて貼り付けるサイズ変更画像と画像のサイズを変更させないで貼り付ける非変更画像とに分割するとともに、前記非変更画像と画像のサイズの変更処理を行なった前記サイズ変更画像とを結合した画像のサイズが前記編集対象画像の編集対象領域と同じサイズとなるよう、前記サイズ変更画像のサイズ変更処理を行ない、前記非変更画像と画像のサイズの変更処理を行なった前記サイズ変更画像とを結合して前記編集対象領域に貼り付ける画像編集部を備えることを特徴とする画像編集装置。
【０１０２】
（付記７）編集対象となる編集対象画像に所定の貼付け画像を貼り付けることによって画像編集する画像編集方法において、
前記貼付け画像を前記編集対象画像に貼り付ける際に、前記貼付け画像を、画像のサイズを変更させて貼り付けるサイズ変更画像と画像のサイズを変更させないで貼り付ける非変更画像とに分割する画像分割ステップと、
前記非変更画像と画像のサイズの変更処理を行なった前記サイズ変更画像とを結合した際に、結合した画像のサイズが前記編集対象画像の編集対象領域と同じサイズとなるよう、前記サイズ変更画像のサイズ変更処理を行なうサイズ変更ステップと、
前記非変更画像と画像のサイズの変更処理を行なった前記サイズ変更画像とを結合して前記編集対象領域に貼り付けるステップと、
を含むことを特徴とする画像編集方法。
【０１０３】
（付記８）編集対象となる編集対象画像に所定の貼付け画像を貼り付けることによって画像編集する画像編集方法をコンピュータに実行させるプログラムにおいて、
前記貼付け画像を前記編集対象画像に貼り付ける際に、前記貼付け画像を、画像のサイズを変更させて貼り付けるサイズ変更画像と画像のサイズを変更させないで貼り付ける非変更画像とに分割する画像分割ステップと、
前記非変更画像と画像のサイズの変更処理を行なった前記サイズ変更画像とを結合した際に、結合した画像のサイズが前記編集対象画像の編集対象領域と同じサイズとなるよう、前記サイズ変更画像のサイズ変更処理を行なうサイズ変更ステップと、
前記非変更画像と画像のサイズの変更処理を行なった前記サイズ変更画像とを結合して前記編集対象領域に貼り付けるステップと、
をコンピュータに実行させるプログラム。
【図面の簡単な説明】
【０１０４】
【図１】実施例１に係る画像編集の概念を説明するための図である。
【図２】全体画像の一例を示す図である。
【図３】実施例１に係る画像編集装置の構成を示す機能ブロック図である。
【図４−１】実施例１に係る画像編集の処理手順を示すフローチャート（１）である。
【図４−２】実施例１に係る画像編集の処理手順を示すフローチャート（２）である。
【図５】貼付け画像の一例を示す図である。
【図６】貼付け画像の分割位置を説明するための図である。
【図７−１】始点用画像の一例を示す図である。
【図７−２】中間用画像の一例を示す図である。
【図７−３】終点用画像の一例を示す図である。
【図８】始点座標と終点座標の指定を説明するための図である。
【図９】実施例１に係る作業画像の生成手順を示すフローチャートである。
【図１０−１】始点用画像を貼り付けたときの作業画像を示す図である。
【図１０−２】中間用画像を貼り付けたときの作業画像を示す図である。
【図１０−３】矩形の中間用画像を貼り付けたときの作業画像を示す図である。
【図１０−４】終点用画像を貼り付けたときの作業画像を示す図である。
【図１１】全体画像の編集結果を示す図である。
【図１２】実施例２に係る画像編集の処理手順を示すフローチャートである。
【図１３】始点幅と終点幅を説明するための図である。
【図１４】他の実施例に係るコンピュータシステムの構成を示すシステム構成図である。
【図１５】図１４に示したコンピュータシステムにおける本体部の構成を示すブロック図である。
【図１６】従来の画像編集装置によって編集された画像を説明するための図（１）である。
【図１７】従来の画像編集装置によって編集された画像を説明するための図（２）である。
【符号の説明】
【０１０５】
１０  画像編集装置
１１  入力部
１２  表示部
１３  記憶部
１４  画像編集部
１９  制御部
２０，９０  貼付け画像
２１Ａ  始点用画像
２１Ｂ  中間用画像
２１Ｃ  終点用画像
３０  全体画像
４０  編集領域
４５  作業画像
９１  貼付け領域
１００  コンピュータシステム
１０１  本体部
１０２  ディスプレイ
１０２ａ  表示画面
１０３  キーボード
１０４  マウス
１０５  モデム
１０６  ＬＡＮ／ＷＡＮ
１０７  公衆回線
１０８  ＦＤ
１０９  ＣＤ−ＲＯＭ
１１１  ＰＣ
１１２  サーバ
１１３  プリンタ
１２１  ＣＰＵ
１２２  ＲＡＭ
１２３  ＲＯＭ
１２４  ＨＤＤ
１２５  ＣＤ−ＲＯＭドライブ
１２６  ＦＤドライブ
１２７  Ｉ／Ｏインターフェース
１２８  ＬＡＮインターフェース
Ｅｃ１  終点座標
Ｅｗ  終点幅
Ｓｃ  始点座標
Ｓｗ  始点幅
【図１】
2006053647.tif 000003
【図２】
2006053647.tif 000004
【図３】
2006053647.tif 000005
【図４−１】
2006053647.tif 000006
【図４−２】
2006053647.tif 000007
【図５】
2006053647.tif 000008
【図６】
2006053647.tif 000009
【図７−１】
2006053647.tif 000010
【図７−２】
2006053647.tif 000011
【図７−３】
2006053647.tif 000012
【図８】
2006053647.tif 000013
【図９】
2006053647.tif 000014
【図１０−１】
2006053647.tif 000015
【図１０−２】
2006053647.tif 000016
【図１０−３】
2006053647.tif 000017
【図１０−４】
2006053647.tif 000018
【図１１】
2006053647.tif 000019
【図１２】
2006053647.tif 000020
【図１３】
2006053647.tif 000021
【図１４】
2006053647.tif 000022
【図１５】
2006053647.tif 000023
【図１６】
2006053647.tif 000024
【図１７】
2006053647.tif 000025